(57)【要約】【課題】ボイラ内足場の工期を短縮することができる、ボイラ内足場の構築方法を提供する。【解決手段】ボイラ本体１の下部に構築されたボイラホッパ上に下部作業床を構築し、次いで、前記下部作業床上に吊り下げ式昇降足場２を構築し、次いで、ボイラ本体１の上部側壁の開口５からボイラ本体１内に垂下したストランド７に吊り下げ式昇降足場２を固定し、かくして、ストランド７をボイラ本体１外に設置したジャッキ本体６により間欠的に引き上げあるいは引き下げて、吊り下げ式昇降足場２を間欠的に昇降可能とする。【選択図】図１
2015025327.tif 000002
【特許請求の範囲】
【請求項１】
ボイラのボイラ本体内にボイラ内足場を構築する、ボイラ内足場の構築方法において、
前記ボイラ本体の下部に構築されたボイラホッパ上に下部作業床を構築し、次いで、前記下部作業床上に吊り下げ式昇降足場を構築し、次いで、前記ボイラ本体の上部側壁の開口から前記ボイラ本体内に垂下したストランドに前記吊り下げ式昇降足場を固定し、かくして、前記ストランドを前記ボイラ本体外に設置したジャッキ本体により間欠的に引き上げあるいは引き下げて、前記吊り下げ式昇降足場を間欠的に昇降可能としたことを特徴とする、ボイラ内足場の構築方法。
【請求項２】
前記吊り下げ式昇降足場を前記ジャッキ本体により前記ボイラ本体の水管ノーズ部の直下まで吊り上げ、次いで、前記下部作業床と前記吊り下げ式昇降足場との間に下部足場を構築し、前記下部足場の構築と同時に、前記吊り下げ式昇降足場上に上部足場を構築することを特徴とする、請求項１に記載の、ボイラ内足場の構築方法。
【請求項３】
前記下部足場と前記上部足場の少なくとも一方は、ラック付きマストと、前記ラックに噛み合うピニオンと、前記ピニオンを回転させる駆動手段とからなる昇降装置により構築することを特徴とする、請求項２に記載の、ボイラ内足場の構築方法。
【請求項４】
前記下部足場の構築終了後、前記下部足場と前記吊り下げ式昇降足場とを連結することを特徴とする、請求項２または３に記載の、ボイラ内足場の構築方法。
【請求項５】
前記ストランドの巻取装置を設けたことを特徴とする、請求項１から４の何れか１つに記載の、ボイラ内足場の構築方法。
【発明の詳細な説明】
【技術分野】
【０００１】
この発明は、ボイラ内足場の構築方法、特に、ボイラの保守点検等のためにボイラ本体内に構築するボイラ内足場の工期を短縮することができる、ボイラ内足場の構築方法に関するものである。
【背景技術】
【０００２】
例えば、火力発電所に設置されている大型ボイラの炉壁やバーナー火格子等の保守点検等は、ボイラ本体内に足場を構築することにより行われている。
【０００３】
このボイラ内足場の構築法の一例が、特許文献１に開示されている。以下、このボイラ内足場の構築法を従来足場構築法１といい、図面を参照しながら説明する。
【０００４】
図１３は、従来足場構築法１によりボイラ本体内に構築されたボイラ内足場を示す概略斜視図、図１４（Ａ）から（Ｈ）は、従来足場構築法１を示す工程図であり、（Ａ）は、最上段の足場を構築した図、（Ｂ）は、最上段の足場の支柱とジャッキ本体の昇降部材とを連結した図、（Ｃ）は、ジャッキ本体の昇降部材を上昇させて最上段の足場を上昇させた図、（Ｄ）は、最上段の足場の支柱に別の支柱を連結し、最上段の足場より一段下の足場を構築した図、（Ｅ）は、最上段の足場の支柱とジャッキ本体の昇降部材との連結を解除した図、（Ｆ）は、ジャッキ本体の昇降部材を基の位置に下降させ、最上段の足場の支柱と連結した図、（Ｇ）は、ジャッキ本体の昇降部材を上昇させて、最上段の足場と一段下の足場とを上昇させた図、（Ｈ）は、一段下の足場の支柱にさらに別の支柱を連結した図である。なお、図１４は、図１３のＸ部の拡大図である。
【０００５】
図１３において、２１は、ボイラ内足場であり、ボイラ本体２２の底部のボイラホッパ２３内に構築された下部作業床２４上に、ボイラ本体２２の高さ方向に沿って間隔をあけて上下多段に設置されている。各足場２１には、手摺２５が取り付けられ、上下段の足場２１間は、支柱２６により連結されていると共に、階段２７により作業員が上下段の足場２１間を自由に行き来できるようになっている。
【０００６】
従来足場構築法１によりボイラ内足場２１を構築するには、先ず、図１４（Ａ）に示すように、ボイラホッパ２３内に構築された下部作業床２４に最上段の足場２１ａを支柱２６ａと共に構築する。作業床２４には、昇降部材２９を備えたジャッキ本体２８が支柱２６ａ毎に設置され、全てのジャッキ本体２８の昇降部材２９は、同時に昇降するようになっている。
【０００７】
次いで、同図（Ｂ）に示すように、最上段の足場２１ａの支柱２６ａと昇降部材２９とを連結部材３０により連結する。次いで、同図（Ｃ）に示すように、昇降部材２９を上昇させて最上段の足場２１ａを支柱２６ａと共に上昇させる。次いで、同図（Ｄ）に示すように、上昇させた最上段の足場２１ａの支柱２６ａに別の支柱２６ｂを連結し、最上段の足場２１ａの下方部に別の足場２１ｂを構築する。次いで、同図（Ｅ）に示すように、最上段の足場２１ａの支柱２６ａと昇降部材２９との連結を解除する。次いで、同図（Ｆ）に示すように、昇降部材２９を元の位置に下降させた後、最上段の足場２１ａの支柱２６ａと昇降部材２９とを連結部材３０により連結する。次いで、同図（Ｇ）に示すように、昇降部材２９を再度、上昇させて、足場２１ａと足場２１ｂとを支柱２６ａ、２６ｂと共に上昇させる。次いで、同図（Ｈ）に示すように、足場２１ｂの支柱２６ｂにさらに別の支柱２６ｃを連結し、足場２１ｂの下方部にさらに別の足場２１ｃを構築する。
【０００８】
以下、上記工程を繰り返し行うことによって、ボイラ本体２２内に、ボイラ内足場２１を上下多段に構築することができる。
【０００９】
上述の従来足場構築法１によれば、ボイラ内足場を確実に構築することはできるが、足場２１を上下多段に設置する必要があるので、ボイラ内足場の構築に長い工期を要するという問題があった。
【００１０】
ボイラ内足場の工期を短縮する目的で、ボイラ内足場をボイラ本体内にジャッキ装置により昇降可能に吊り下げる足場構築法がある（特許文献２参照）。ジャッキ装置は、上端部がボイラ本体の頂部のボイラ鉄骨に固定され、ボイラ本体内に垂下されるストランドと、ストランドに沿って足場を間欠的に昇降させるジャッキ本体とからなっている。以下、この足場構築法を従来足場構築法２という。
【００１１】
従来足場構築法２によれば、足場を上下多段に設置する必要がないので、ボイラ内足場の工期を短縮することはできるが、ボイラの構造によっては、ストランドをボイラ本体の頂部から吊り下げられない場合がある。例えば、ボイラ本体内の上部にボイラ水管が張り出して配されている場合である（図１参照）。
【００１２】
また、図１５に示すように、ボイラ本体２２内の上部には、水管ノーズ部３１がボイラ本体２２内に突出して形成されている場合がある。水管ノーズ部３１が形成されていると、上述した従来足場構築法１では、水管ノーズ部３１の直下までしか足場２１を構築することができない。
【００１３】
そこで、水管ノーズ部３１より上方部のボイラ本体２２内に設置されている過熱器３２等の保守点検用足場は、図１５に示すように、例えば、従来足場構築法１により下部作業床２４上に下部足場３３を、水管ノーズ部３１の直下まで構築した後、下部足場３３上に中間作業床３４を構築し、そして、中間作業床３４上に上部足場３５を構築することにより行っていた。
【００１４】
しかしながら、この方法では、下部作業床２４を構築した後、中間作業床３４を構築してからでないと上部足場３５を構築することができないので、ボイラ内足場の工期に長期間を要していた。
【００１５】
そこで、この問題を解決すべくなされた、ボイラ内足場の別の構築法の一例が、特許文献３に開示されている。以下、このボイラ内足場の構築法を従来足場構築法３といい、図面を参照しながら説明する。
【００１６】
図１６は、従来足場構築法３により上部足場が構築されたボイラ本体を示す概略断面図である。
【００１７】
図１６において、３６は、水平梁である。水平梁３６は、ボイラ本体２２の外側で構築され、ボイラ本体２２の側壁に形成された開口２２ａからボイラ本体２２内に張り出し可能に構成されている。水平梁３６上に上部足場３５が構築される。
【００１８】
従来足場構築法３により上部足場３５を構築するには、水平梁３６をボイラ本体２２の外側で構築し、次いで、水平梁３６をボイラ本体２２の側壁に形成された開口２２ａからボイラ本体２２内に張り出し、そして、水平梁３６上に上部足場３５を構築する。
【先行技術文献】
【特許文献】
【００１９】
【特許文献１】特公昭６３−１２２８６３号公報
【特許文献２】特開２０１２−５２３０５号公報
【特許文献３】特開２０１１−８０６６８号公報
【特許文献４】特許第２８２８４３０号公報
【発明の概要】
【発明が解決しようとする課題】
【００２０】
従来足場構築法３によれば、上部足場３５の構築作業が中間作業床３４より下のレベルの足場を構築しなくても行えるので、上部足場３５の工期を短縮することができるが、炉内足場全体の工期については、以下のような問題があった。
【００２１】
従来足場構築法３により、水平梁３６上に上部足場３５を構築している間は、工具や構築部材等が落下する危険性があるので、上部足場３５の構築が他の作業と独立して行えるとはいっても、実際は、上部足場３５を構築している間は、下部足場３３の構築や下部足場３３によるボイラの保守点検作業は行えない。
【００２２】
中間作業床３４を従来足場構築法３のように、水平梁３６をボイラ本体２２内に水平に張り出し、その上に足場板を設置することも提案されているが、この場合も同様に、中間作業床３４の構築中は、中間作業床３４より下方の作業は行えないので、ボイラ内足場全体の工期短縮にはならない。また、中間作業床３４あるいは水平梁３６の構築作業は、下方に何もない梁の上での高所作業となるので、下部作業床２４のような全面床上で組み立てる場合に比べて作業効率が大きく低下し、しかも、組み立てに日数を要する。さらに、水平梁３６の張り出し用の開口２２ａおよび水平梁３６の張り出し装置をボイラの耐圧部やその近傍の炉壁に複数、設ける必要があるので、特に、既設ボイラの場合には、設備の改造に時間と手間がかかる。
【００２３】
従って、この発明の目的は、ボイラの構造上、ストランドをボイラ本体の頂部からボイラ本体内に垂下できない場合であっても、ボイラ本体の側壁に形成した開口からストランドをボイラ本体内に垂下させることによって、吊り下げ式昇降足場をボイラ本体内に確実に構築することができる。ボイラ内足場の構築方法を提供することにある。
【００２４】
また、この発明の他の目的は、水管ノーズ部が形成されているボイラにおいて、水管ノーズ部より下方の下部足場と、水管ノーズ部の直下より上方の上部足場との同時構築を容易かつ安全に行うことができるようにすることによって、ボイラ内足場全体としての工期を短縮することができる、ボイラ内足場の構築方法を提供することにある。
【課題を解決するための手段】
【００２５】
この発明は、上記目的を達成するためになされたものであって、下記を特徴とするものである。
【００２６】
請求項１に記載の発明は、ボイラのボイラ本体内にボイラ内足場を構築する、ボイラ内足場の構築方法において、前記ボイラ本体の下部に構築されたボイラホッパ上に下部作業床を構築し、次いで、前記下部作業床上に吊り下げ式昇降足場を構築し、次いで、前記ボイラ本体の上部側壁の開口から前記ボイラ本体内に垂下したストランドに前記吊り下げ式昇降足場を固定し、かくして、前記ストランドを前記ボイラ本体外に設置したジャッキ本体により間欠的に引き上げあるいは引き下げて、前記吊り下げ式昇降足場を間欠的に昇降可能としたことに特徴を有するものである。
【００２７】
請求項２に記載の発明は、請求項１に記載の発明において、前記吊り下げ式昇降足場を前記ジャッキ本体により前記ボイラ本体の水管ノーズ部の直下まで吊り上げ、次いで、前記下部作業床と前記吊り下げ式昇降足場との間に下部足場を構築し、前記下部足場の構築と同時に、前記吊り下げ式昇降足場上に上部足場を構築することに特徴を有するものである。
【００２８】
請求項３に記載の発明は、請求項２に記載の発明において、前記下部足場と前記上部足場の少なくとも一方は、ラック付きマストと、前記ラックに噛み合うピニオンと、前記ピニオンを回転させる駆動手段とからなる昇降装置により構築することに特徴を有するものである。
【００２９】
請求項４に記載の発明は、請求項２または３に記載の発明において、前記下部足場の構築終了後、前記下部足場と前記吊り下げ式昇降足場とを連結することに特徴を有するものである。
【００３０】
請求項５に記載の発明は、請求項１から４の何れか１つに記載の発明において、前記ストランドの巻取装置を設けたことに特徴を有するものである。
【発明の効果】
【００３１】
この発明によれば、吊り下げ式昇降足場を吊り下げるストランドを、ボイラ本体の側壁に形成された開口からボイラ本体内に垂下することによって、ボイラの構造上、ストランドをボイラ本体の頂部から吊り下げられない場合であっても、吊り下げ式昇降足場をボイラ本体内に確実に構築することができるので、ボイラ内足場の工期を短縮することができる。
【００３２】
また、この発明によれば、下部作業床上に吊り下げ式昇降足場を構築し、吊り下げ式昇降足場を水管ノーズ部の直下まで上昇させ、この後、下部作業床上に下部足場を構築すると同時に、吊り下げ式昇降足場上に上部足場を構築することによって、ボイラ内足場を安全に構築することができ、しかも、工期を大幅に短縮することができる。
【図面の簡単な説明】
【００３３】
【図１】この発明によりボイラ本体内に構築された吊り下げ式昇降足場を示す断面図である。
【図２】図１のＡ−Ａ線断面図である。
【図３】図１のＢ部拡大図である。
【図４】ジャッキ本体を示す拡大図である。
【図５】この発明によりボイラ本体内に構築された下部足場および上部足場を示す断面図である。
【図６】ボイラホッパ内に構築された下部作業床を示す断面図である。
【図７】ボイラ本体に設置したジャッキ本体とストランドを示す断面図である。
【図８】ストランドに固定した吊り下げ式昇降足場を示す断面図である。
【図９】ジャッキ本体により水管ノーズ部の直下まで上昇させた吊り下げ式昇降足場を示す断面図である。
【図１０】下部作業床上に構築中の下部足場と、吊り下げ式昇降足場上に構築中の上部足場とを示す断面図である。
【図１１】下部足場の下部を示す拡大図である。
【図１２】上部足場を示す拡大図である。
【図１３】従来足場構築法１によりボイラ本体内に構築されたボイラ内足場を示す概略斜視図である。
【図１４（Ａ）】従来足場構築法１を示す工程図のうち、最上段の足場を構築した図である。
【図１４（Ｂ）】従来足場構築法１を示す工程図のうち、最上段の足場の支柱とジャッキ本体の昇降部材とを連結した図である。
【図１４（Ｃ）】従来足場構築法１を示す工程図のうち、ジャッキ本体の昇降部材を上昇させて最上段の足場を上昇させた図である。
【図１４（Ｄ）】従来足場構築法１を示す工程図のうち、最上段の足場の支柱に別の支柱を連結し、最上段の足場より一段下の足場を構築した図である。
【図１４（Ｅ）】従来足場構築法１を示す工程図のうち、最上段の足場の支柱とジャッキ本体の昇降部材との連結を解除した図である。
【図１４（Ｆ）】従来足場構築法１を示す工程図のうち、ジャッキ本体の昇降部材を基の位置に下降させ、最上段の足場の支柱と連結した図である。
【図１４（Ｇ）】従来足場構築法１を示す工程図のうち、ジャッキ本体の昇降部材を上昇させて、最上段の足場と一段下の足場とを上昇させた図である。
【図１４（Ｈ）】従来足場構築法１を示す工程図のうち、一段下の足場の支柱にさらに別の支柱を連結した図である。
【図１５】水管ノーズ部が形成されたボイラ本体を示す断面図である。
【図１６】従来足場構築法３により上部足場が構築されたボイラ本体を示す概略断面図である。
【発明を実施するための形態】
【００３４】
この発明の、ボイラ内足場の構築方法の一実施態様を、図面を参照しながら説明する。
【００３５】
図１は、この発明によりボイラ本体内に構築された、ボイラ内足場としての吊り下げ式昇降足場を示す断面図、図２は、図１のＡ−Ａ線断面図、図３は、図１のＢ部拡大図、図４は、ジャッキ本体を示す拡大図である。
【００３６】
図１から図４において、１は、ボイラ本体、２は、ボイラ本体１内に、後述するジャッキ装置により昇降可能に設置された、ボイラ内足場としての吊り下げ式昇降足場、３は、吊り下げ式昇降足場２を昇降させるジャッキ装置、４は、ボイラ本体１内の上部に張り出して配されたボイラ水管である。
【００３７】
ジャッキ装置３は、ボイラ本体１の上部側壁に形成された開口５の外側に設置されたジャッキ本体６（図４参照）と、ジャッキ本体６により間欠的に引き上げあるいは引き下げられるストランド７とからなっている。ストランド７は、若干内側に傾斜したジャッキ本体６から開口５部分に設けられた複数個のガイドローラ８によりほぼ垂直にガイドされて、ジャッキ本体６内に垂下され、下端が吊り下げ式昇降足場２に固定されている。
【００３８】
なお、ストランド７は、ボイラ本体１外に設置された巻取装置（図示せず）により巻き取り、あるいは、巻き戻されるので、ジャッキ装置３の設置スペースが限られていてもストランド７の巻き取り、あるいは、巻き戻しは容易に行える。
【００３９】
このように、ストランド７をボイラ本体１の開口５からガイドローラ８を介してジャッキ本体６内に垂下させることによって、例えば、ボイラ本体１内の上部にボイラ水管４が張り出して配され、これにより、ストランド７をボイラ本体１の頂部から吊り下げられない場合であっても、ストランド７により吊り下げ式昇降足場２を確実に吊り下げることができる。
【００４０】
ジャッキ装置３としては、例えば、特許文献４に開示されたセンターホール式ジャッキ装置を使用する。このジャッキ装置の概略は、以下の通りである。
【００４１】
重量物を吊り下げたストランドの把持と開放が可能な一対のグリップを有し、一方のグリップによりストランドを把持した後、一方のグリップをジャッキにより引き上げて重量物をジャッキの１ストローク分、吊り上げる。次いで、他方のグリップによりストランドを把持した後、一方のグリップの把持を開放する。そして、他方のグリップをジャッキにより引き上げて重量物をジャッキの１ストローク分、吊り上げる。この操作を繰り返し行って重量物を間欠的に吊り上げる。重量物を吊り下ろす場合は、この逆の操作を行う。
【００４２】
この発明により、ボイラ内足場としての吊り下げ式昇降足場２を構築するには、先ず、ボイラ本体１の下部に構築されたボイラホッパ９上に下部作業床１０を構築する（図６参照）。
【００４３】
次いで、下部作業床１０上に吊り下げ式昇降足場２を構築する（図８参照）。
【００４４】
次いで、ボイラ本体１の上部側壁の開口５の外側にジャッキ本体６を設置し、ジャッキ本体６を通してボイラ本体１内に垂下したストランド７に吊り下げ式昇降足場２を固定する。
【００４５】
かくして、ストランド７をジャッキ本体６により間欠的に引き上げあるいは引き下げて、吊り下げ式昇降足場２を間欠的に昇降可能とする。
【００４６】
このように、ストランド７をボイラ本体１の開口５からガイドローラ８を介してジャッキ本体６内に垂下させることによって、例えば、ボイラ本体１内の上部にボイラ水管４が張り出して配され、これにより、ストランド７をボイラ本体１の頂部から吊り下げられない場合であっても、吊り下げ式昇降足場２を確実に構築することができる。
【００４７】
なお、大型ボイラには、防爆用の強固なバックステイがあるので、このバックステイにジャッキ本体６を設置すれば、容易に反力を受けることができる。
【００４８】
次に、水管ノーズ部が形成されているボイラにおいて、水管ノーズ部より下方の下部足場と、水管ノーズ部の直下より上方の上部足場との同時構築を容易かつ安全に行うことができるようにすることによって、ボイラ内足場の工期を短縮することができる、ボイラ内足場の構築方法を、図５から図１２を参照しながら説明する。
【００４９】
図５から図１２において、１１は、ボイラ本体１の上部に、ボイラ本体１の内側に突出して形成された水管ノーズ部、１２は、下部作業床１０上に構築された下部足場、１３は、吊り下げ式昇降足場２上に構築した上部足場である。
【００５０】
下部足場１２は、下部足場本体１４と昇降手段１５とから構成されている。昇降手段１５は、下部作業床１０上に設置した複数本のラック（図示せず）付きマスト１６と、前記ラックに噛み合うピニオン（図示せず）と、前記ピニオンを回転させる駆動手段１７(図１１参照)とから構成されている。下部足場本体１４は、駆動手段１７により前記ピニオンを回転させることによって、マスト１６に沿って昇降する。
【００５１】
次に、この発明による、ボイラ内足場としての下部足場と上部足場の同時構築方法について説明する。
【００５２】
先ず、図６に示すように、ボイラホッパ９の上部に下部作業床１０を構築する。
【００５３】
次いで、図７に示すように、ジャッキ装置３を設置した後、図８に示すように、下部作業床１０上に吊り下げ式昇降足場２を構築する。すなわち、ボイラ本体１の開口５の外側にジャッキ本体６を設置し、ストランド７をジャッキ本体６に挿通する。なお、ジャッキ装置３と吊り下げ式昇降足場２の構築順序は、逆あるいは同時でも良い。
【００５４】
次いで、図９に示すように、ジャッキ本体６によりストランド７を引き上げて、吊り下げ式昇降足場２を水管ノーズ部１１の直下まで吊り上げる。
【００５５】
次いで、図１０に示すように、下部作業床１０上にラック付きマスト１６を設置し、マスト１６に駆動手段を１７と共に下部足場本体１４を取り付けて下部足場１２を組み立てる。そして、マスト１６を順次、継ぎ足して行きながら下部足場本体１４を上昇させて行く。この操作を繰り返し行って、下部足場１２を吊り下げ式昇降足場２と下部作業床１０との間のボイラ本体１内に構築する（図５参照）。
【００５６】
そして、下部足場１２の構築と同時に、吊り下げ式昇降足場２上に上部足場１３を構築する。上部足場１３としては、図１２に示すように、単管を組み立てて構築する単管足場であっても良いし、上述した下部足場１２と同様な足場であっても良い。
【００５７】
なお、吊り下げ式昇降足場２と下部足場１２の構築終了後、吊り下げ式昇降足場２と下部足場１２のマスト１６とを連結すれば（図５参照）、これらの剛性が飛躍的に向上するので、安全性と耐震性が向上する。さらに、互いの作業床の強度を補完することができるので、その分、部材の最小化を図ることができる。
【００５８】
上述したように、この発明によれば、吊り下げ式昇降足場２を吊り下げるストランド７を、ボイラ本体１の側壁に形成された開口５からボイラ本１体内に垂下することによって、ボイラの構造上、ストランド７をボイラ本体１の頂部から吊り下げられない場合であっても、吊り下げ式昇降足場２をボイラ本体１内に確実に構築することができるので、ボイラ内足場の工期を短縮することができる。
【００５９】
また、この発明によれば、下部作業床１０上に吊り下げ式昇降足場２を構築し、吊り下げ式昇降足場２を水管ノーズ部１１の直下まで吊り上げ、この後、下部作業床１０上に下部足場１２を構築すると同時に、吊り下げ式昇降足場２上に上部足場１３を構築することによって、ボイラ内足場を安全に構築することができ、しかも、工期を大幅に短縮することができる。
【符号の説明】
【００６０】
１：ボイラ本体
２：吊り下げ式昇降足場
３：ジャッキ装置
４：ボイラ水管
５：開口
６：ジャッキ本体
７：ストランド
８：ガイドローラ
９：ボイラホッパ
１０：下部作業床
１１：水管ノーズ部
１２：下部足場
１３：上部足場
１４：下部足場本体
１５：昇降手段
１６：マスト
１７：駆動手段
２１：ボイラ内足場
２２：ボイラ本体
２３：ボイラホッパ
２４：下部作業床
２５：手摺
２６：支柱
２７：階段
２８：ジャッキ本体
２９：昇降部材
３０：連結部材
３１：水管ノーズ部
３２：過熱器
３３：下部足場
３４：中間作業床
３５：上部足場
３６：水平梁
【図１】
2015025327.tif 000003
【図２】
2015025327.tif 000004
【図３】
2015025327.tif 000005
【図４】
2015025327.tif 000006
【図５】
2015025327.tif 000007
【図６】
2015025327.tif 000008
【図７】
2015025327.tif 000009
【図８】
2015025327.tif 000010
【図９】
2015025327.tif 000011
【図１０】
2015025327.tif 000012
【図１１】
2015025327.tif 000013
【図１２】
2015025327.tif 000014
【図１３】
2015025327.tif 000015
【図１４（Ａ）】
2015025327.tif 000016
【図１４（Ｂ）】
2015025327.tif 000017
【図１４（Ｃ）】
2015025327.tif 000018
【図１４（Ｄ）】
2015025327.tif 000019
【図１４（Ｅ）】
2015025327.tif 000020
【図１４（Ｆ）】
2015025327.tif 000021
【図１４（Ｇ）】
2015025327.tif 000022
【図１４（Ｈ）】
2015025327.tif 000023
【図１５】
2015025327.tif 000024
【図１６】
2015025327.tif 000025
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
ボイラのボイラ本体内にボイラ内足場を構築する、ボイラ内足場の構築方法であり、前記ボイラ本体の下部に構築されたボイラホッパ上に下部作業床を構築し、次いで、前記下部作業床上に吊り下げ式昇降足場を構築し、次いで、前記ボイラ本体の上部側壁の開口から前記ボイラ本体内に垂下したストランドに前記吊り下げ式昇降足場を固定し、かくして、前記ストランドを前記ボイラ本体外に設置したジャッキ本体により間欠的に引き上げあるいは引き下げて、前記吊り下げ式昇降足場を間欠的に昇降可能とする、ボイラ内足場の構築方法において、
前記吊り下げ式昇降足場を前記ジャッキ本体により前記ボイラ本体の水管ノーズ部の直下まで吊り上げ、次いで、前記下部作業床と前記吊り下げ式昇降足場との間に下部足場を構築し、前記下部足場の構築と同時に、前記吊り下げ式昇降足場上に上部足場を構築することを特徴とする、ボイラ内足場の構築方法。
【請求項２】
前記下部足場と前記上部足場の少なくとも一方は、ラック付きマストと、前記ラックに噛み合うピニオンと、前記ピニオンを回転させる駆動手段とからなる昇降装置により構築することを特徴とする、請求項１に記載の、ボイラ内足場の構築方法。
【請求項３】
前記下部足場の構築終了後、前記下部足場と前記吊り下げ式昇降足場とを連結することを特徴とする、請求項１または２に記載の、ボイラ内足場の構築方法。
【請求項４】
前記ストランドの巻取装置を設けたことを特徴とする、請求項１から３の何れか１つに記載の、ボイラ内足場の構築方法。
【手続補正２】
【補正対象書類名】明細書
【補正対象項目名】００２６
【補正方法】変更
【補正の内容】
【００２６】
請求項１に記載の発明は、ボイラのボイラ本体内にボイラ内足場を構築する、ボイラ内足場の構築方法であり、前記ボイラ本体の下部に構築されたボイラホッパ上に下部作業床を構築し、次いで、前記下部作業床上に吊り下げ式昇降足場を構築し、次いで、前記ボイラ本体の上部側壁の開口から前記ボイラ本体内に垂下したストランドに前記吊り下げ式昇降足場を固定し、かくして、前記ストランドを前記ボイラ本体外に設置したジャッキ本体により間欠的に引き上げあるいは引き下げて、前記吊り下げ式昇降足場を間欠的に昇降可能とする、ボイラ内足場の構築方法において、前記吊り下げ式昇降足場を前記ジャッキ本体により前記ボイラ本体の水管ノーズ部の直下まで吊り上げ、次いで、前記下部作業床と前記吊り下げ式昇降足場との間に下部足場を構築し、前記下部足場の構築と同時に、前記吊り下げ式昇降足場上に上部足場を構築することに特徴を有するものである。
【手続補正３】
【補正対象書類名】明細書
【補正対象項目名】００２７
【補正方法】変更
【補正の内容】
【００２７】
請求項２に記載の発明は、請求項１に記載の発明において、前記下部足場と前記上部足場の少なくとも一方は、ラック付きマストと、前記ラックに噛み合うピニオンと、前記ピニオンを回転させる駆動手段とからなる昇降装置により構築することに特徴を有するものである。
【手続補正４】
【補正対象書類名】明細書
【補正対象項目名】００２８
【補正方法】変更
【補正の内容】
【００２８】
請求項３に記載の発明は、請求項１または２に記載の発明において、前記下部足場の構築終了後、前記下部足場と前記吊り下げ式昇降足場とを連結することに特徴を有するものである。
【手続補正５】
【補正対象書類名】明細書
【補正対象項目名】００２９
【補正方法】変更
【補正の内容】
【００２９】
請求項４に記載の発明は、請求項１から３の何れか１つに記載の発明において、前記ストランドの巻取装置を設けたことに特徴を有するものである。
【手続補正６】
【補正対象書類名】明細書
【補正対象項目名】００３０
【補正方法】削除
【補正の内容】